(57)【特許請求の範囲】
【請求項１】
エレベータのかご呼び情報とホール呼び情報とに基づいて所定階のホール呼び待ち時間を演算するホール呼び待ち時間演算部と、
再生時間が異なる複数種の動画像と共に静止画像を保持する画像保持部と、
前記所定階のエレベータホールに設置された画像表示装置と、
前記ホール呼び待ち時間演算部が演算したホール呼び待ち時間に見合った長さの動画像若しくは静止画像を選択して前記画像表示装置に再生させる画像選択部とを備え、
前記画像選択部は、
（１）前記画像保持部に保持されている前記複数種の動画像の内、前記ホール呼び待ち時間演算部が算出したホール呼び待ち時間以内で最長の再生時間の動画像を選択し、若しくは、前記ホール呼び待ち時間以内に再生が終了する動画像がない場合には前記静止画像を選択して前記画像表示装置に再生させ、
（２）前記動画像の再生終了時に前記ホール呼び待ち時間演算部に再度ホール呼び待ち時間を演算させ、前記選択、再生した動画像の終了後、前記再計算されたホール呼び待ち時間以内で最長の再生時間の動画像を前記画像保持部が保持している前記複数種の動画像の中から再選択し、若しくは、前記再計算されたホール呼び待ち時間以内に再生が終了する動画像がない場合には前記静止画像を選択して前記画像表示装置に再生させ、
（３）前記（２）の動画像若しくは静止画像の選択、再生を前記所定階のエレベータホールにエレベータが到着するまで繰り返すことを特徴とするエレベータホールの画像表示制御装置。
【請求項２】
前記画像保持部は前記動画像と共に音声を保持し、前記画像表示装置は前記画像の再生と共に音声を再生することを特徴とする請求項１に記載のエレベータホールの画像表示制御装置。
【請求項３】
前記画像保持部は、ほぼ同じ再生時間の複数種の動画像を保持し、
前記画像選択部は、前記ホール呼び待ち時間演算部にてほぼ同じ時間のホール呼び待ち時間が算出された場合には、該当する長さの動画像の中から順繰りに若しくはランダムに選択して前記画像表示装置に再生させることを特徴とする請求項１または２に記載のエレベータホールの画像表示制御装置。
【発明の詳細な説明】
【０００１】
【発明の属する技術分野】
本発明はエレベータホールの待ち客に対して動画像を提供するエレベータホールの画像表示制御装置に関する。
【０００２】
【従来の技術】
従来からエレベータホールの待ち客に対してエレベータドアの近くに設置された表示装置によって館内案内、テナント広告、環境映像など、動画（以下、この動画にはスライド画像も含めて説明する）や静止画像を表示し、また音声を出力して待ち客への情報提供やサービス向上を図っている。
【０００３】
【発明が解決しようとする課題】
ところが、従来のエレベータホールの画像表示制御装置では、再生する動画像、静止画像の再生所要時間は一定で、いわば種々の動画像を１本のフィルムに盛り込み、その始めから終わりまでを繰り返し再生する方式であり、エレベータホールの待ち時間に関係なく再生して表示装置から出力していたために、エレベータホールの待ち客を退屈させないことはできても、待ち客がまだ見たいと思っているのにエレベータが到着してしまったり、逆に待ち時間が長い場合には同じ画像が繰り返し再生されて待ち客の興味をそいでしまう問題点があった。
【０００４】
本発明はこのような従来の問題点に鑑みてなされたもので、ある階のホール呼び発生によってエレベータホールに待ち客がいることを検知した場合、そのホール呼びに対する待ち時間を算定し、エレベータ待ち時間に応じて長短複数種の動画像の中から待ち時間に応じたふさわしい動画像を選択して表示装置から提供し、待ち客を退屈させず、また完結した内容の動画像を提供することによって満足感も与えることができ、サービスの向上が図れるエレベータホールの画像表示制御装置を提供することを目的とする。
【０００５】
【課題を解決するための手段】
請求項１の発明のエレベータホールの画像表示制御装置は、エレベータのかご呼び情報とホール呼び情報とに基づいて所定階のホール呼び待ち時間を演算するホール呼び待ち時間演算部と、再生時間が異なる複数種の動画像と共に静止画像を保持する画像保持部と、所定階のエレベータホールに設置された画像表示装置と、ホール呼び待ち時間演算部が演算したホール呼び待ち時間に見合った長さの動画像若しくは静止画像を選択して画像表示装置に再生させる画像選択部とを備え、前記画像選択部は、（１）画像保持部に保持されている複数種の動画像の内、ホール呼び待ち時間演算部が算出したホール呼び待ち時間以内で最長の再生時間の動画像を選択し、若しくは、ホール呼び待ち時間以内に再生が終了する動画像がない場合には静止画像を選択して画像表示装置に再生させ、（２）動画像の再生終了時にホール呼び待ち時間演算部に再度ホール呼び待ち時間を演算させ、選択、再生した動画像の終了後、再計算されたホール呼び待ち時間以内で最長の再生時間の動画像を画像保持部が保持している複数種の動画像の中から再選択し、若しくは、再計算されたホール呼び待ち時間以内に再生が終了する動画像がない場合には静止画像を選択して画像表示装置に再生させ、（３）前記（２）の動画像若しくは静止画像の選択、再生を所定階のエレベータホールにエレベータが到着するまで繰り返すことを特徴とするものである。
【０００６】
この発明のエレベータホールの画像表示制御装置では、ある階でホール呼びが発生すると、ホール呼び待ち時間演算部によってエレベータのかご呼び情報とホール呼び情報とに基づいて該当階のホール呼び待ち時間を演算し、画像選択部が、画像保持部に保持されている複数種の動画像の内、このホール呼び待ち時間以内で最長の再生時間の動画像を選択して当該ホール呼び発生階の画像表示装置に再生させて待ち客に提供する。
また、この発明のエレベータホールの画像表示制御装置では、第１回目の動画像の再生終了時に再度ホール呼び待ち時間を演算し、第１回目の動画像の再生終了後、再計算されたホール呼び待ち時間の間に再生できる長さの動画像を再選択して画像表示装置に再生させることによって、最初に算定したエレベータ待ち時間が延びた場合には、その延びた時間の長さにふさわしい動画像をその終了まで再生して待ち客に提供する。
さらに、この発明のエレベータホールの画像表示制御装置では、第１回目でも第２回目でもホール呼び待ち時間内に再生が終了できる動画像がない場合には静止画像を選択して画像表示装置に再生させることによって、エレベータ待ち時間に見合う十分な長さの動画像がなくて選択した１つあるいは複数の動画像を再生し終わってもまだ待ち時間が続く場合には、その待ち時間の間、選択した動画像に引き続いて静止画像を再生させて待ち客に提供する。
【０００７】
請求項２の発明は、請求項１のエレベータホールの画像表示制御装置において、前記画像保持部が前記動画像と共に音声を保持し、前記画像表示装置は前記画像の再生と共に音声を再生するようにしたものであり、これによって映像と共にそれに関連する音声を待ち客に提供する。
【０００８】
請求項３の発明は、請求項１または２のエレベータホールの画像表示制御装置において、画像保持部がほぼ同じ再生時間の複数種の動画像を保持し、画像選択部がホール呼び待ち時間演算部にてほぼ同じ時間のホール呼び待ち時間が算出された場合には、該当する長さの動画像の中から順繰りに若しくはランダムに選択して画像表示装置に再生させるようにしたものである。
【００１０】
【発明の実施の形態】
以下、本発明の実施の形態を図に基づいて説明する。図１は本発明の第１の実施の形態のシステム構成を示しており、エレベータシステムは、エレベータかご１、このエレベータかご１とロープ２で結ばれ、釣瓶方式で互いに逆方向に昇降するカウンタウェイト３、ロープ３を巻き付けてその回転によってかご１及びカウンタウェイト３を昇降させるシーブ４、このシーブ４を駆動する電動機５、この電動機５の回転によりパルス信号を発生するパルスジェネレータ６、そして電動機５を回転駆動制御する機械室に設置されたエレベータ制御装置７から構成されている。
【００１１】
このエレベータ制御装置７にはかご位置検出部７ａ、ホール呼び登録部７ｂ、かご呼び登録部７ｃが備えられていて、パルスジェネレータ６からのパルス信号に基づいてかご位置を把握し、また各階のエレベータホール８に設置されているホール呼びボタン９の操作によって発生したホール呼び、エレベータかご１内に設置されているかご呼びボタン１０の操作によって発生したかご呼びを登録し、それらの呼びに対してエレベータかご１を応答させるように電動機５を制御する。
【００１２】
各階エレベータホール、もしくはエントランスホールのような特定の階に画像表示制御装置１１と表示装置１２とが設置されていて、エレベータ制御装置７からの制御信号に基づき、後述する画像表示制御動作を行うようにしている。この画像表示制御装置１１はハードウェア的には図２に示す構成のコンピュータであるが、機能的には図１に示すように、エレベータ制御装置７側からのかご呼び登録情報、ホール呼び登録情報及びかご位置情報を可変データとし、あらかじめ組み込まれている演算処理プログラムを実行することによって当該装置が設置されている階にホール呼びが発生してからエレベータかご１が到着するまでのエレベータ待ち時間を算定する予測待ち時間演算部１１Ａと、再生所要時間の長さが異なる複数種の動画像（スライド画像も含む）を蓄積している映像蓄積部１１Ｂと、予測待ち時間演算部１１Ａの算定したエレベータ待ち時間以内に再生できる最長再生時間の動画像を映像蓄積部１１Ｂの複数種の動画像の中から選択し、表示装置１２に出力する映像選択部１１Ｃとを備えている。表示装置１２は動画像を表示する表示部１２Ａと音声を出力するスピーカ１２Ｂを備えている。
【００１３】
図２に示すように表示制御装置１１のハードウェア構成は、エレベータ制御装置７からの信号を入力する入力回路１１−１、本発明に関連する諸演算処理プログラムが登録されているＲＯＭ１１−２、演算処理実行部となるＣＰＵ１１−３、入力回路１１−１から入力された諸データを一時的に保持し、また本発明に関連する諸可変データを保持するＲＡＭ１１−４、演算処理結果に基づき、選択した動画像の映像信号と音声信号を表示装置１２に出力する出力回路１１−５から成る。
【００１４】
本発明のために再生する映像データ（音声データも含む）は図３に示すように、外部の大容量記憶装置１３（機能的には図１に示した映像蓄積部１１Ｂに対応する）に蓄積しておき、入力回路１１−１を通じて読み込むようにしている。この動画像データには図示するように、たとえば、再生時間が１０秒の長さの動画データ、２０秒の動画データ、３０秒のもの、４０秒のもの、５０秒のものというように、複数種の再生時間長さが異なるものが用意されている。そして画像表示装置１１のＲＡＭ１１−４、また映像選択部１１Ｃにはこれらの動画データの識別番号とその再生所要時間の対象テーブルデータが登録されている。
【００１５】
次に、上記構成の第１の実施の形態のエレベータホールの画像表示制御装置の動作について説明する。図１に示したように、エレベータ制御装置７側ではパルスジェネレータ６からのパルス信号に基づいてかご位置検出部７ａがかご１の位置、運転方向を認識しており、またかご呼び登録部７ｂは発生したかご呼びを登録し、ホール呼び登録部７ｃは新たに発生したホール呼びを登録する。そしていま、本発明のエレベータホールの画像表示制御装置が設置されているエレベータホール８からホール呼びが発生すれば、エレベータ制御装置７はホール呼び発生を該当階に設置されているエレベータホールの画像表示制御装置１１に対して通知し、同時にかご呼び状況とホール呼び状況をも通知する。
【００１６】
この通知を受けた該当階のエレベータホールの画像表示制御装置１１では、図４に示すフローチャートに基づく処理を開始する。すなわち、当該階のホール呼び登録が発生したことをエレベータ制御装置７側から通知されると（ステップＳＴ１）、予測待ち時間演算部１１Ａがエレベータかごの位置、呼び情報をエレベータ制御装置７から取得し（ステップＳＴ２）、所定の演算処理プログラムに基づいて予測待ち時間ＷＴを演算して映像選択部１１Ｃに渡す（ステップＳＴ３）。
【００１７】
エレベータ予測待ち時間の算定方法は、図５に示す場合を例にして説明すると、次のようになる。エレベータかごが５階に到着したばかりで、これからドア開閉した後に本エレベータホールの画像表示制御装置が設置されているエントランスホールである１階に向かって下降運転を行おうとしている。現在の呼び発生状況は、かご呼びが２階に登録されており、下降方向のホール呼びは３階に登録されている。そしていま、エントランスホールである１階においてホール呼び（上昇方向の呼びである）が発生したとする。
【００１８】
この場合、５階にあるエレベータは５階でドア開閉のために１０秒間停止し、その後、ホール呼びの発生している３階まで８秒間で移動し、１０秒間停止した後発車し、かご呼びが発生している２階へ６秒間で移動し、再度１０秒間停止し、その後、１階へ６秒間で移動することになる。したがって、１階でホール呼びを行った利用者が待たなければならない予測待ち時間ＷＴは、これらの全時間を加算したものとなる。
【００１９】
ＷＴ＝１０＋８＋１０＋６＋１０＋６＝５０秒
映像選択部１１Ｃでは、算出された予測待ち時間ＷＴをあらかじめ登録されている複数種の動画像それぞれの再生時間と比較し（ステップＳＴ４）、
０秒≦ＷＴ＜１０秒  →  再生せず
１０秒≦ＷＴ＜２０秒  →  １０秒の動画を再生）
２０秒≦ＷＴ＜３０秒  →  ２０秒の動画を再生）
３０秒≦ＷＴ＜４０秒  →  ３０秒の動画を再生）
４０秒≦ＷＴ＜５０秒  →  ４０秒の動画を再生）
５０秒≦ＷＴ          →  ５０秒の動画を再生）
を決定し、該当する再生時間の動画像データを映像蓄積部１１Ｂから読み込んで表示装置１２に出力し、画像データは表示部１２Ａによって再生させ、また音声データはスピーカ１２Ｂによって再生させる（ステップＳＴ５−１〜５−５）。
【００２０】
そして動画再生が完了すると、この処理を終了し、次のホール呼び発生に備える（ステップＳＴ６）。
【００２１】
このようにして、第１の実施の形態のエレベータホールの画像表示制御装置では、当該装置が設置されている階でホール呼びが発生した場合、エレベータが到着するまでに掛る待ち時間を予測し、複数種の動画像の中から予測待ち時間に見合った長さのものを表示装置１２によって再生させてホール待ち客に見せることができ、待ち客が選択された動画像のストーリが完結する前にエレベータが到着して最後まで見られないという不満を抱くことがなく、またエレベータが到着するよりもずっと前に早く動画像の再生が終わってしまって退屈するということもなく、サービスの向上と情報提供の効果性の改善を図ることができる。
【００２２】
なお、この第１の実施の形態にあって動画像の種類数、再生時間は特に限定されるものはなく、任意に選定することができる。またほぼ同じ再生時間の動画像でも複数種用意し、同じ程度の予測待ち時間が算出された時には該当する長さの動画像の中から順繰りに、若しくはランダムに選択して再生する構成とすることもできる。
【００２３】
また表示装置１２のスピーカ１２Ｂによる音声再生機能は特に限定されず、この音声データとその再生機能は必要に応じて設けることができるものである。
【００２４】
次に、本発明の第２の実施の形態を図１、図２、図６及び図７のフローチャートに基づいて説明する。この第２の実施の形態の特徴は、映像蓄積部１１Ｂ（ハードウェアとしては外部記憶装置１３）が図６に示す内容の画像データを蓄積し、映像選択部１１Ｃが図７のフローチャートに示す処理を実行する点にある。
【００２５】
図６に示すように、映像蓄積部１１Ｂに蓄積されている画像データは、再生時間が異なる複数種の動画像データと共に、例えば環境写真画像、広告コピー画像などの１種類もしくは複数種の静止画像データを含む。
【００２６】
そして映像選択部１１Ｃは図７にフローチャートに示す処理を実行して、ホール呼びの予測待ち時間の長さに対応した再生長さの動画像データを映像蓄積部１１Ｃから呼出して表示装置１２によって再生し（ステップＳＴ１１〜ＳＴ１６）、さらに適当な長さの動画像データが見あたらない場合、また選択した動画像の再生が終了してもなおエレベータが到着しない場合には、エレベータ到着までの余分の待ち時間の間、静止画像データを呼出して表示装置１２に再生させる（ステップＳＴ１７）。
【００２７】
これによって、第２の実施の形態のエレベータホールの画像表示制御装置では、ホール呼びが発生してエレベータ到着までの予測待ち時間に見合う再生長さの動画像を該当エレベータホールの表示装置１２に再生させ、それが終了してもなおエレベータが到着しない場合には、その余った時間の間、静止画像を再生することによって待ち客が退屈しないように、また広告を提供できるようにしてサービスの向上と情報提供の効果性の改善が図れる。
【００２８】
なお、この第２の実施の形態にあっても、第１の実施の形態と同様に画像データの再生長さ、種類数などは例示したものに限定されることはなく、また音声データの保存、再生機能は必要に応じて設けることができるものであり、特に限定されるものではない。
【００２９】
また静止画像についても、ただ１種類のものだけではなく、複数種用意し、静止画像の再生時に順繰りに、若しくはランダムに選択して再生するようにしてもよい。
【００３０】
次に、本発明の第３の実施の形態を図１、図２、図６及び図８のフローチャートに基づいて説明する。この第３の実施の形態は、映像選択部１１Ｃが予測待ち時間ＷＴの長さに応じてふさわしい動画像を選択して再生した後、再度エレベータ到着までの待ち時間を計算し、算出した到着待ち時間内に再生できる動画像を再選択して再生するようにしたことを特徴とする。
【００３１】
すなわち、第１、第２の実施の形態と同様に当該階のホール呼び登録が発生したことをエレベータ制御装置７側から通知されると（ステップＳＴ２１）、予測待ち時間演算部１１Ａがエレベータかごの位置、呼び情報をエレベータ制御装置７から取得し（ステップＳＴ２２）、第１の実施の形態と同じように所定の演算処理プログラムに基づいて予測待ち時間ＷＴを演算して映像選択部１１Ｃに渡す（ステップＳＴ２３）。
【００３２】
映像選択部１１Ｃでは、算出された予測待ち時間ＷＴをあらかじめ登録されている複数種の動画像それぞれの再生時間と比較し（ステップＳＴ２４）、
０秒≦ＷＴ＜１０秒  →  再生せず
１０秒≦ＷＴ＜２０秒  →  １０秒の動画を再生）
２０秒≦ＷＴ＜３０秒  →  ２０秒の動画を再生）
３０秒≦ＷＴ＜４０秒  →  ３０秒の動画を再生）
４０秒≦ＷＴ＜５０秒  →  ４０秒の動画を再生）
５０秒≦ＷＴ          →  ５０秒の動画を再生）
を決定し、該当する再生時間の動画像データを映像蓄積部１１Ｂから読み込んで表示装置１２に出力し、画像データは表示部１２Ａによって再生させ、また音声データはスピーカ１２Ｂによって再生させる（ステップＳＴ２５−１〜２５−５）。
【００３３】
そして１つの動画像の再生が終了すれば、その時点でのエレベータ位置、呼び登録状況に基づいて、再度ステップＳＴ２３からの処理を再開し、予測待ち時間ＷＴを再計算し、その時間内に再生できる動画像を探し、見つかればその動画像を再生する（ステップＳＴ２３，ＳＴ２４，ＳＷ２５- １〜２５−５）。
【００３４】
しかしながら、第１回目に計算された予測待ち時間の内に、また第２回目以降の再計算で算出された予測待ち時間の内に再生できる長さの動画像が見つからない場合には静止画像を選択して再生させる（ステップＳＴ２７）。
【００３５】
このようにして、第３の実施の形態のエレベータホールの画像表示制御装置では、当該装置が設置されている階でホール呼びが発生した場合、エレベータが到着するまでに掛る待ち時間を予測し、複数種の動画像の中から予測待ち時間に見合った長さのものを表示装置１２によって再生させてホール待ち客に見せることができ、待ち客が選択された動画像のストーリが完結する前にエレベータが到着して最後まで見られないという不満を抱くことがなく、またエレベータが到着するよりもずっと前に早く動画像の再生が終わってしまって退屈するということもなく、サービスの向上と情報提供の効果性の改善を図ることができる。
【００３６】
これに加えて、最初の計算で算出した予測待ち時間に対してふさわしい長さの動画像を再生しても、その再生している待ち時間の内に他の階からのホール呼びやかご呼びが発生して到着予測時間が長くなることもあるので、そのような場合には再度予測待ち時間を計算し、その予測待ち時間に見合う長さの動画像を再度選択して再生するようにして、ホール待ち客にその実際に待っている時間の間、十分に情報を提供できるようにするのである。
【００３７】
なお、この第３の実施の形態においても、複数種の動画像データの種類数、その再生時間は例示したものに限定されることはなく、またほぼ同じ再生時間の動画像でも複数種用意し、同じ予測待ち時間が算出された時には該当する長さの動画像の中から順繰りに、若しくはランダムに選択して再生する構成とすることもできる。静止画像についても同様に、ただ１種類のものだけではなく、複数種用意し、静止画像の再生時に順繰りに、若しくはランダムに選択して再生するようにしてもよい。
【００３８】
さらに表示装置１２のスピーカ１２Ｂによる音声再生機能は特に限定されず、この音声データとその再生機能は必要に応じて設けることができるものである。
【００３９】
【発明の効果】
以上のように請求項１の発明によれば、ある階でホール呼びが発生すると該当階のホール呼び待ち時間を演算し、あらかじめ登録した複数種の動画像の内、このホール呼び待ち時間以内で最長の再生時間の動画像を選択して当該ホール呼び発生階の画像表示装置に再生させて待ち客に提供するようにしたので、ホール待ち客がホール呼びした後エレベータが到着するまでの待ち時間の間に完結する動画像を再生して提供することができ、待ち客が再生されている動画像を途中までしか見られずに不満ながらエレベータに乗り込まなければならなくなる事態を避け、またエレベータが到着するよりもずっと前に早く動画像の再生が終わってしまって退屈するということもなく、サービスの向上と情報提供の効果性の改善を図ることができる。
また、請求項１の発明によれば、始めに選択、再生した動画像が終了してもなお、エレベータ待ちが続く場合、ホール呼び待ち時間を再度計算し、再計算されたホール呼び待ち時間の間に再生できる長さの動画像を再度選択して画像表示装置に再生させるようにしたので、ホール呼び待ちの間に他のホール呼びやかご呼びが発生して当該階のホール呼び待ち時間が長くなった場合でも、その時間に応じて複数種の動画像を続けて再生して待ち客に提供することができ、待ち客を退屈させず、また再生の途中でエレベータが到着して不満を抱かさせることもなく、サービスの向上と情報提供の効果性の改善がいっそう図れる。
さらに、請求項１の発明によれば、複数種の動画像の中から予測待ち時間にふさわしい再生時間の動画像を選択して再生し、その終了後には静止画像を選択して再生するようにしたので、エレベータ到着までの待ち時間が予測よりも長くなり、あるいは待ち時間に見合う十分な長さの動画像がなくて選択した１つあるいは複数の動画像を再生し終わってもまだ待ち時間が続く場合には、その待ち時間の間、選択した動画像に引き続いて静止画像を再生させて待ち客に提供することができ、ホール待ち時間をフルに活用にして情報の提供ができ、サービスの向上と情報提供の効果性の改善がよりいっそう図れる。
【００４０】
請求項２の発明によれば、動画像と共に音声も再生するようにしたので、映像と共にそれに関連する音声を待ち客に提供することができ、サービスの向上と情報提供の効果性の改善がいっそう図れる。
【００４１】
請求項３の発明によれば、ほぼ同じ再生時間の複数種の動画像を保持し、ほぼ同じ時間のホール呼び待ち時間が算出された場合には、該当する長さの動画像の中から順繰りに若しくはランダムに選択して画像表示装置に再生させることができ、サービスの向上と情報提供の効果性の改善が図れる。
【図面の簡単な説明】
【図１】本発明の第１の実施の形態の機能構成を示すブロック図。
【図２】上記の実施の形態の画像表示制御装置のハードウェア構成を示すブロック図。
【図３】上記の実施の形態における映像蓄積部のデータ構造を示す説明図。
【図４】上記の実施の形態の画像表示処理を示すフローチャート。
【図５】上記の実施の形態の予測待ち時間計算例を示す説明図。
【図６】本発明の第２の実施の形態における映像蓄積部のデータ構造を示す説明図。
【図７】上記の実施の形態の画像表示処理を示すフローチャート。
【図８】本発明の第３の実施の形態の画像表示処理を示すフローチャート。
【符号の説明】
１１  画像表示制御装置
１１Ａ  予測待ち時間演算部
１１Ｂ  映像蓄積部
１１Ｃ  映像選択部
１２  表示装置
１２Ａ  表示部
１２Ｂ  スピーカ
【図１】
0004002321.tif 000002
【図２】
0004002321.tif 000003
【図３】
0004002321.tif 000004
【図４】
0004002321.tif 000005
【図５】
0004002321.tif 000006
【図６】
0004002321.tif 000007
【図７】
0004002321.tif 000008
【図８】
0004002321.tif 000009